(57)【特許請求の範囲】
【請求項１】
テープカートリッジ装着部を開閉する開閉蓋と、前記テープカートリッジ装着部に配設したプラテンに対し接触位置と離間位置との間で移動自在に構成された印刷ヘッドと、前記開閉蓋の開閉動作に前記印刷ヘッドの移動を連動させる連動動作機構と、前記印刷ヘッドと前記連動動作機構との間に介設され接触位置における前記印刷ヘッドを前記プラテンに押圧するヘッド押圧ばねと、前記ヘッド押圧ばねと拮抗し前記印刷ヘッドを離間方向に付勢する復帰ばねと備え、
前記開閉蓋の開放動作で前記印刷ヘッドを接触位置から離間位置に移動させると共に、閉塞動作で前記印刷ヘッドを離間位置から接触位置に移動させるテープ印刷装置において、
前記開閉蓋は、閉塞ロック解除により完全閉塞位置から開放途中位置まで跳ね上げられ、且つこの状態から完全開放位置まで回動させることで開放されると共に、当該完全開放位置から前記完全閉塞位置まで逆方向に回動させることで閉塞され、且つ当該完全閉塞位置で閉塞ロックされ、
前記連動動作機構は、前記開閉蓋の前記完全開放位置から前記完全閉塞位置への閉塞動作の途中で前記開閉蓋に係合し、且つ前記開閉蓋の前記開放途中位置から前記完全開放位置への開放動作の途中で前記開閉蓋との係合を解除する係合レバーを有し、
前記係合レバーは、前記ヘッド押圧ばねに連結されると共に、前記開放動作の係合時に前記開閉蓋によりレバー操作され、収縮した前記ヘッド押圧ばねを介して前記印刷ヘッドに離間させる方向の力を付与することを特徴とするテープ印刷装置。
【請求項２】
前記連動動作機構は、一端を前記開閉蓋に当接し他端を前記ヘッド押圧ばねに連結されて、回動自在に構成されたヘッド操作レバーを有し、
前記ヘッド操作レバーは、前記復帰ばねの付勢力を受けて前記開閉蓋を前記完全閉塞位置から前記開放途中位置まで跳ね上げると共に前記印刷ヘッドを離間位置に移動させ、前記開閉蓋の前記開放途中位置から前記完全閉塞位置に至る開放動作で逆方向に回動して前記ヘッド押圧ばねを介して前記印刷ヘッドを接触位置に移動させ、
前記ヘッド操作レバーと前記係合レバーとは、一体に形成されていることを特徴とする請求項１に記載のテープ印刷装置。
【請求項３】
前記開閉蓋は、前記テープカートリッジ装着部を開閉する蓋本体と、当該蓋本体から延びるレバー受け片と、当該レバー受け片に形成され前記係合レバーに係合する係合部とを有し、
前記係合レバーは、前記ヘッド操作レバーから延びるレバー本体と、当該レバー本体の先端に形成され前記係合部に臨む係合突起とを有し、
前記係合突起は前記係合部に対し、前記開閉蓋の開放動作の途中で離脱すると共に閉塞動作の途中で係合することを特徴とする請求項２に記載のテープ印刷装置。
【請求項４】
前記係合部は、前記レバー受け片に形成した開口部で構成され、
前記レバー本体は、ばね性を有する薄板部で構成され、
前記係合突起は、前記板ばね部が撓むことで前記係合部に対し係脱することを特徴とする請求項３に記載のテープ印刷装置。
【請求項５】
前記係合突起には、閉塞動作する前記開閉蓋の前記レバー受け片が突き当たる部位に、前記係合突起の前記係合部への係合を案内する係合傾斜面が形成されていることを特徴とする請求項４に記載のテープ印刷装置。
【請求項６】
前記係合傾斜面に対応して前記レバー受け片の前記係合突起が突き当たる部位には、前記係合突起の前記係合部への係合を案内する係合受け傾斜面が形成されていることを特徴とする請求項５に記載のテープ印刷装置。
【請求項７】
前記係合部を構成する前記レバー受け片の開口縁部には、前記開閉蓋の開放動作における前記係合突起の前記係合部からの離脱を阻止する掛止め部位および離脱を案内する傾斜部位が連続して形成され、
前記開閉蓋の回動中心に対し、近い位置に前記掛止め部位が遠い位置に前記傾斜部位がそれぞれ配設されていることを特徴とする請求項４、５または６に記載のテープ印刷装置。
【発明の詳細な説明】
【０００１】
【発明の属する技術分野】
本発明は、カートリッジ装着部の開閉蓋の開閉に連動して、印刷ヘッドがプラテンに離接するテープ印刷装置に関するものである。
【０００２】
【従来の技術】
従来のテープ印刷装置では、カートリッジ装着部に立設されたプラテンに対し、印刷ヘッドが回動して離接するようになっている。印刷ヘッドは、カートリッジ装着部に立設されたヘッド軸に回動自在に取り付けられており、またヘッド軸には、印刷ヘッドを回動させる回動アームが回動自在に取り付けられている。回動アームの尾端部は、ヘッド押圧ばねを介して、装置ケースの一部に回動自在に取り付けられた操作レバーの一方の端部に連結されており、操作レバーの他方の端部は、閉塞状態の開閉蓋に下側から当接している。また、回動アームの先端部には、ヘッド押圧ばねと逆方向に延びる復帰ばねが掛止めされている。
この場合、開閉蓋の閉塞ロックを解除すると、復帰ばねのばね力で操作レバーが回動して開閉蓋を跳ね上げると同時に、復帰ばねのばね力で回動アームが引かれ、印刷ヘッドがプラテンから離間する。逆に、開閉蓋を閉塞すると、操作レバーが開閉蓋に押されて上記と逆方向に回動する。操作レバーが回動すると、ヘッド押圧ばねを介して回動アームが上記と逆方向に引かれ、印刷ヘッドがプラテンに接触する。
すなわち、テープカートリッジをカートリッジ装着部に装着すべく開閉蓋を開放すると、印刷ヘッドがプラテンから離れてテープカートリッジの装着が可能となり、テープカートリッジの装着した後、開閉蓋を閉塞すると、テープカートリッジの印刷テープとインクリボンを挟み込んで、印刷ヘッドがプラテンに接触する。
【０００３】
【発明が解決しようとする課題】
ところで、幅広の印刷テープに印刷可能なテープ印刷装置では、プラテンおよび印刷ヘッドに縦長のものを用いる必要が生ずる。一方、上記従来のテープ印刷装置では、構造上、テープカートリッジが装着されていない場合でも、開閉蓋を閉塞すると印刷ヘッドがプラテンに押圧される。この場合には、テープカートリッジが装着されている状態と異なり、印刷ヘッドの前面がプラテンの外周面に直接接触する。すなわち、印刷ヘッドの発熱体部とプラテンのゴム面（プラテン）が、押圧された状態で直接接触することになる。このため、特にプラテンおよび印刷ヘッドに縦長のものを用いた場合には、プラテンに印刷ヘッドが強く癒着してしまって、開閉蓋を開放しても、プラテンから印刷ヘッドが離れなくなることが想定される。
もっとも、復帰ばねのばね力を強くすれば、かかる問題は解消する。しかし、復帰ばねのばね力を強くすると、これと拮抗しているヘッド押圧ばねのばね力も強くする必要が生ずる。ヘッド押圧ばねのばね力を強くすると、印刷ヘッドによりプラテンが強く押圧されてプラテンに撓みが生じたり、或いは操作レバーを介して閉塞状態の開閉蓋が下側から強く押されて変形したりする問題が生ずる。
【０００４】
本発明は、復帰ばねのばね力を強くすることなく、プラテンと印刷ヘッドとの間の癒着を解消することができるテープ印刷装置を提供することをその目的としている。
【０００５】
【課題を解決するための手段】
本発明のテープ印刷装置は、テープカートリッジ装着部を開閉する開閉蓋と、テープカートリッジ装着部に配設したプラテンに対し接触位置と離間位置との間で移動自在に構成された印刷ヘッドと、開閉蓋の開閉動作に印刷ヘッドの移動を連動させる連動動作機構と、印刷ヘッドと連動動作機構との間に介設され接触位置における印刷ヘッドをプラテンに押圧するヘッド押圧ばねと、ヘッド押圧ばねと拮抗し印刷ヘッドを離間方向に付勢する復帰ばねと備え、開閉蓋の開放動作で印刷ヘッドを接触位置から離間位置に移動させると共に、閉塞動作で印刷ヘッドを離間位置から接触位置に移動させるテープ印刷装置において、開閉蓋は、閉塞ロック解除により完全閉塞位置から開放途中位置まで跳ね上げられ、且つこの状態から完全開放位置まで回動させることで開放されると共に、完全開放位置から完全閉塞位置まで逆方向に回動させることで閉塞され、且つ完全閉塞位置で閉塞ロックされ、連動動作機構は、開閉蓋の完全開放位置から完全閉塞位置への閉塞動作の途中で開閉蓋に係合し、且つ開閉蓋の開放途中位置から完全開放位置への開放動作の途中で開閉蓋との係合を解除する係合レバーを有し、係合レバーは、ヘッド押圧ばねに連結されると共に、開放動作の係合時に開閉蓋によりレバー操作され、収縮したヘッド押圧ばねを介して印刷ヘッドに離間させる方向の力を付与することを特徴とする。
【０００６】
この構成によれば、開放動作する開閉蓋から力を受けて、連動動作機構の係合レバーが、ヘッド押圧ばねを介して印刷ヘッドに離間させる方向の力を付与するため、プラテンに印刷ヘッドが強く癒着していても、これを引き離すことができる。この場合、プラテンから印刷ヘッドを引き離すきっかけを作れば、復帰ばねが働いて、印刷ヘッドは完全に引き離される。このため、印刷ヘッドに開閉蓋の開放力を作用させても、開閉蓋の開放動作が極端に重くなることはない。
【０００７】
この場合、連動動作機構は、一端を開閉蓋に当接し他端をヘッド押圧ばねに連結されて、回動自在に構成されたヘッド操作レバーを有し、ヘッド操作レバーは、復帰ばねの付勢力を受けて開閉蓋を完全閉塞位置から開放途中位置まで跳ね上げると共に印刷ヘッドを離間位置に移動させ、開閉蓋の開放途中位置から完全閉塞位置に至る開放動作で逆方向に回動してヘッド押圧ばねを介して印刷ヘッドを接触位置に移動させ、ヘッド操作レバーと係合レバーとは、一体に形成されていることが、好ましい。
【０００８】
この構成によれば、開閉蓋を跳ね上げるヘッド操作レバーと係合レバーとを一体に形成しているため、印刷ヘッドの癒着を解消する構造を単純化することができる。
【０００９】
この場合、開閉蓋は、テープカートリッジ装着部を開閉する蓋本体と、蓋本体から延びるレバー受け片と、レバー受け片に形成され係合レバーに係合する係合部とを有し、係合レバーは、ヘッド操作レバーから延びるレバー本体と、レバー本体の先端に形成され係合部に臨む係合突起とを有し、係合突起は係合部に対し、開閉蓋の開放動作の途中で離脱すると共に閉塞動作の途中で係合することが、好ましい。
【００１０】
この構成によれば、開閉蓋の開閉動作に対し、係合レバーの係合突起が、レバー受け片の係合部に常に係合している訳ではないため、開閉蓋の動作範囲が係合レバーの影響を受けることがなく、また逆に係合レバーの位置が開閉蓋の影響を受けることがなく、開閉蓋および係合レバーの設置位置や構造の自由度が損なわれることがない。
【００１１】
この場合、係合部は、レバー受け片に形成した開口部で構成され、レバー本体は、ばね性を有する薄板部で構成され、係合突起は、板ばね部が撓むことで係合部に対し係脱することが、好ましい。
【００１２】
この構成によれば、レバー本体をばね性を有する薄板部とすることで、その厚みや幅等により、印刷ヘッドに付与する離間方向の力を調節することができる。
【００１３】
この場合、係合突起には、閉塞動作する開閉蓋のレバー受け片が突き当たる部位に、係合突起の係合部への係合を案内する係合傾斜面が形成されていることが、好ましい。
【００１４】
この構成によれば、係合傾斜面により、係合突起の係合部への係合を円滑に行わせることができ、開閉蓋の閉塞動作が重くなるなどの支障を生ずることがない。
【００１５】
この場合、係合傾斜面に対応してレバー受け片の係合突起が突き当たる部位には、係合突起の係合部への係合を案内する係合受け傾斜面が形成されていることが、好ましい。
【００１６】
この構成によれば、上記と同様に、係合受け傾斜面により、係合突起の係合部への係合を円滑に行わせることができ、開閉蓋の閉塞動作が重くなるなどの支障を生ずることがない。
【００１７】
これらの場合、係合部を構成するレバー受け片の開口縁部には、開閉蓋の開放動作における係合突起の係合部からの離脱を阻止する掛止め部位および離脱を案内する傾斜部位が連続して形成され、開閉蓋の回動中心に対し、近い位置に掛止め部位が遠い位置に傾斜部位がそれぞれ配設されていることが、好ましい。
【００１８】
この構成によれば、開閉蓋の開放動作の初期においては、回動角度が浅く係合突起が係合部の掛止め部に係合しており、開放が進むに従って係合突起が掛止め部から傾斜部側にずれてゆき、ある程度、開放が進んだ段階で係合突起が傾斜部に係合する。したがって、開閉蓋の開放動作の初期においては、印刷ヘッドに離間方向の力を十分に付与することができ、その後は、開閉蓋の開放動作が重くならないように、係合突起を係止部から円滑に離脱させることができる。
【００１９】
【発明の実施の形態】
以下、添付の図面に基づいて、本発明の一実施形態に係るテープ印刷装置について説明する。このテープ印刷装置は、テープカートリッジを介して装置内に装着した印刷テープに、所望の文字や図形などを印刷（印字）すると共に、印刷テープの印刷済み部分を所定の長さに切断して、ラベルを作製するものである。
【００２０】
図１は開蓋状態のテープ印刷装置の外観斜視図であり、同図に示すように、テープ印刷装置１は、上下２分割の装置ケース２により外殻が形成され、装置ケース２の前部上面には各種入力キーから成るキーボード３とディスプレイ４とが配設されると共に、後部上面にはそれぞれ開閉蓋５とこれを開放する蓋開放ボタン６とが配設されている。開閉蓋５の内側には、テープカートリッジ７を装着するためのカートリッジ装着部８が窪入形成されており、テープカートリッジ７はこの開閉蓋５を開放した状態でカートリッジ装着部８に対し着脱される。
【００２１】
また、装置ケース２の左側部には、カートリッジ装着部８と装置外部とを連通するテープ排出口９が形成され、テープ排出口９には、送り出した印刷テープを切断するテープカッタ（図示省略）が臨んでいる。さらに、装置ケース２の左後部には、このテープカッタを切断動作させるカッタボタン１０が配設されている。
【００２２】
一方、カートリッジ装着部８には、ヘッドカバー１２に覆われた印刷ヘッド１３と、印刷ヘッド１３に対峙するプラテン１４と、インクリボンの巻取りリール軸１５と、テープカートリッジ７の装着を案内するガイド突起１６とが立設されている。印刷ヘッド１３は回動自在に構成されており、開閉蓋５の開閉動作に連動してプラテン１４に離接するようになっている。すなわち、テープカートリッジ７をカートリッジ装着部８に装着すべく開閉蓋５を開放すると、印刷ヘッド１３がプラテン１４から離れてテープカートリッジ７の装着が可能となり、テープカートリッジ７を装着した後、開閉蓋５を閉塞すると、テープカートリッジ７の印刷テープおよびインクリボンを挟み込んで、印刷ヘッド１３がプラテン１４に接触する。
【００２３】
ユーザーは、カートリッジ装着部８にテープカートリッジ７を装着し開閉蓋５を閉塞た後、キーボード３により所望の文字などの印刷情報を入力し、同時にディスプレイ４により入力結果を確認すると共に編集を行う。次に、キーボード３を介して印刷を指示すると、テープカートリッジ７から印刷テープを繰り出されてゆき、これに対応して印刷ヘッド１３が印刷テープに所望の印刷を行う。そして、印刷テープの印刷済み部分は、印刷動作に並行してテープ排出口９から随時外部に送り出されてゆく。このようにして、所望の印刷が完了すると、印刷テープの送り動作が停止する。ここで、ユーザーが、装置ケース２の左後部に配設されたカッターボタン１０を押すことで、テープカッタが作動し印刷テープが所望の長さに切断される。
【００２４】
次に、図２、図３および図４を参照しては、開閉蓋５の開閉に連動して印刷ヘッド１３がプラテン１４に離接する構造について説明する。カートリッジ装着部８の底板の下側には、ベースフレーム２１が配設され、ベースフレーム２１には印刷ヘッド１３およびプラテン１４が立設されている。また、ベースフレーム２１の端部近傍には、装置ケース２に回動自在に取り付けられるようにして、ヘッド操作レバー（連動動作機構）２２が配設されている。さらに、図示しないがベースフレーム２１には、印刷テープを送るテープ送り機構が配設されている。
【００２５】
プラテン１４は、下端部をベースフレーム２１に固着されベースフレーム２１上に立設したプラテン軸３１と、プラテン軸３１に回転自在に装着したプラテンローラ３２と、プラテンローラ３２の下端に装着したプラテンギヤ３３とで、構成されている。また、プラテンローラ３２は、ローラ本体３４と、ローラ本体３４の外周面に巻装したプラテンゴム３５とで構成されている。上記のテープ送り機構の回動力は、プラテンギヤ３３から入力してプラテンローラ３２をプラテン軸３１廻りに回転させる。これにより、印刷ヘッド１３との間に挟み込まれた印刷テープおよびインクリボンが、先方に送られる。
【００２６】
印刷ヘッド１３は、プラテン１４に対峙する印刷ヘッド本体４１と、印刷ヘッド本体４１を保持するヘッドホルダ４２と、ベースフレーム２１上に立設されヘッドホルダ４２を回動自在に支持するヘッド支持軸４３と、ヘッド支持軸４３の下端に回動自在に支持されヘッドホルダ４２に係合してこれを回動させる回動アーム４４と、で構成されている。ヘッド支持軸４３を中心に回動アーム４４を回動させると、ヘッドホルダ４２を介して、印刷ヘッド１３がヘッド支持軸４３を中心に、プラテン１４に接触する接触位置とプラテン１４から離間する離間位置との間で回動する。
【００２７】
回動アーム４４の尾端部は、ベースフレーム２１の側端まで延びており、この尾端部には、接触位置における印刷ヘッド１３をプラテン１４に押圧するヘッド押圧ばね２３の一方の端部と、印刷ヘッド１３を離間方向に付勢する復帰ばね２４の一方の端部が係止されている。ヘッド押圧ばね２３および復帰ばね２４は、回動アーム４４の尾端部から逆方向にそれぞれ延びており、ヘッド押圧ばね２３の他端部はヘッド操作レバー２２に係止され、復帰ばね２４の他端部はベースフレーム２１に係止されている。
【００２８】
したがって、ヘッド操作レバー２２が、図示の時計廻り回動すると、ヘッド押圧ばね２３を介して回動アーム４４が引かれ（復帰ばね２４に抗して）、印刷ヘッド１３が離間位置から接触位置に回動する。更にヘッド操作レバー２２の回動が進むと、ヘッド押圧ばね２３が伸び、印刷ヘッド１３がプラテン１４を押圧する。またこの状態から、復帰ばね２４のばね力に従って、ヘッド操作レバー２２が図示の反時計廻り回動すると、復帰ばね２４により回動アーム４４が引かれ、印刷ヘッド１３が接触位置から離間位置に回動する。
【００２９】
ヘッド操作レバー２２は、略「Ｌ」字状に形成され、中間位置で装置ケース２の一部に回動自在に取り付けられている。ヘッド操作レバー２２の一方の端部には、ヘッド押圧ばね２３が掛け止めされる一方、他方の端部は開閉蓋５のレバー受け片２５に下側から当接するようになっている。また、ヘッド操作レバー２２の上部には、レバー受け片２５に係合する係合レバー２６が配設されている。
【００３０】
開閉蓋５が閉塞ロックされている状態では、復帰ばね２４に付勢されてヘッド操作レバー２２が開閉蓋５を下側から押圧しており、上記の蓋開放ボタン６を操作してロックを解除すると、ヘッド操作レバー２２が急速に回動（図示の反時計廻り）し、開閉蓋５は跳ね上げられる（図４参照）。すなわち、開閉蓋５は、閉塞ロック解除により完全閉塞位置から開放途中位置まで跳ね上げられ、且つこの状態からユーザーにより完全開放位置まで回動されて、開放される。逆に、開閉蓋が閉塞されると、開放途中位置まで回動した開閉蓋５はヘッド操作レバー２２に当接し、更に完全閉塞位置で閉塞ロックされるまで、ヘッド操作レバー２２を回動（図示の時計廻り）させる（図３参照）。
【００３１】
ここで、図５、図６および図７を参照して、開閉蓋５と係合レバー２６との関係について説明する。図５に示すように、係合レバー２６とヘッド操作レバー２２とは、樹脂などで一体に形成されており、ヘッド操作レバー２２の上端から斜め上方に延びるレバー本体５１と、レバー本体５１の先端部に形成した係合突起５２とで、構成されている。レバー本体５１は、ばね性を発揮するように薄板状に形成されおり、係合突起５２が開閉蓋５のレバー受け片２５に係脱するときに、適宜撓むようになっている。係合突起５２は、上面を傾斜面（係合傾斜面）５３とするほぼ三角形の突起であり、この傾斜面５３を介してレバー受け片２５に円滑に係合する（いずれも詳細は後述する）。
【００３２】
一方、図６（図３）に示すように、開閉蓋５は、蓋本体６１と蓋本体６１から垂下したレバー受け片２５とを備えており、これらは樹脂などで一体に形成されている。レバー受け片２５の下部には、上記の係合突起５２が係合する開口（係合部）６２が形成され、またその上側には、レバー受け片２５にばね性を発揮させるべく「Ｕ」状のスリット６３が形成されている（図３参照）。また、レバー受け片２５の下端には、係合突起５２が開口６２に円滑に係合するように、係合突起５２の傾斜面５３に対応するガイド傾斜面（係合受け傾斜面）６４が形成されている。
【００３３】
開口６２は、ほぼ方形に形成され、開口６２を構成するレバー受け片２５の開口縁部には、その下辺の半部に傾斜部位６５が形成されている。すなちち、開口縁部の下辺には、一方の半部に係合突起５２の離脱を案内する傾斜部位６５が、他方の半部に係合突起５２の離脱を阻止する掛止め部位６６が連続して形成されている。そして、開閉蓋５の回動中心に対し、近い位置に掛止め部位６６が遠い位置に傾斜部位６５がそれぞれ配設されている。
【００３４】
図７に示すように、ヘッド操作レバー２２が開閉蓋５を跳ね上げた状態では、係合レバー２６の係合突起５２が、レバー受け片２５の開口６２に臨んで、その下面が開口６２の掛止め部位６６に係合している。この状態からユーザーが開閉蓋５を開放してゆくと、レバー受け片２５が係合レバー２６およびヘッド操作レバー２２を引き上げてゆく（反時計廻りに回動させる）。このとき、ヘッド操作レバー２２は、ヘッド押圧ばね２３を押すことになる。開閉蓋５の開放が進むと、係合突起５２と開口６２とはそれぞれの回動軌跡に従って離れてゆき、係合突起５２は、掛止め部位６６から傾斜部位６５に横移動し、やがて傾斜部位６５から離脱する（図４参照）。また、開閉蓋５はそのまま完全開放位置まで回動される。
【００３５】
一方、開閉蓋５を完全開放位置から閉塞させてゆくと、最初に係合突起５２の傾斜面５３とレバー受け片２５のガイド傾斜面６４とが当接する。さらに閉塞動作が進むと、係合突起５２がガイド傾斜面６４を介してレバー受け片２５に乗り上げて、開口６２に係合する。係合突起５２が開口６２に係合すると次の段階で、レバー受け片２５の下端がヘッド操作レバー２２の先端に当接し、これを押し下げてゆく（反時計廻りに回動させる）。このとき、ヘッド操作レバー２２は、ヘッド押圧ばね２３を介して回動アーム４４を引き、印刷ヘッド１３が接触位置に回動する。
【００３６】
ところで、上記のレバー受け片２５が係合レバー２６と共にヘッド操作レバー２２を引き上げてゆくときに、ヘッド押圧ばね２３を押すことになるが、このとき、印刷ヘッド１３がプラテン１４に癒着していると（この場合には復帰ばね２４は開閉蓋５を跳ね上げない）、回動アーム４４がヘッド押圧ばね２３側に回動しており、収縮したヘッド押圧ばね２３が回動アーム４４を押すことになる。これにより、開閉蓋５の開放力が、回動アーム４４を介して印刷ヘッド１３に作用し、印刷ヘッド１３の癒着が解かれる。実際には、印刷ヘッド１３にある程度の引き離す力が加わると、これに加わっている復帰ばね２４のばね力との相乗作用で、印刷ヘッド１３はプラテン１４から簡単に引き離される。
【００３７】
以上のように、開閉蓋５のレバー受け片２５に係合する係合レバー２６により、開閉蓋５の開放力を、印刷ヘッド１３をプラテン１４から離間するように作用させることができるため、印刷ヘッド１３がプラテン１４に癒着していても、これを簡単に引き離すことができる。このため、テープカートリッジ７を装着するときに、印刷ヘッド１３がプラテン１４に癒着していて、テープカートリッジ７が装着不能となるなどの不具合を、確実に防止することができる。
【００３８】
次に、図８および図９を参照して、係合レバー廻りの第２実施形態について説明する。第２実施形態では、係合レバー２６は、ヘッド操作レバー２２から延びるレバー本体５５と、レバー本体５５の先端に形成された爪片５６とで構成されている。また、レバー受け片２５の下部には、上記の開口６２に代えて、爪片５６に対峙するフック６８が形成されている。
【００３９】
この場合には、開閉蓋５を開放させてゆくと、フック６８が爪片５６を介してヘッド操作レバー２２を引き上げてゆく（反時計廻りに回動させる）。開閉蓋５の開放が進むと、フック６８と爪片５６とはそれぞれの回動軌跡に従って離れてゆき、やがて爪片５６がフック６８から離脱する。また逆に、開閉蓋５を閉塞させてゆくと、最初にフック６８がヘッド操作レバー２２当接し、次の段階で爪片５６がフック６８に係合する。
【００４０】
この構成では、係合レバー２６とレバー受け片２５との係脱構造および係脱形態を、より一層単純化することができる。
【００４１】
なお、印刷ヘッドのプラテンに対する離接動作は、実施形態の回動に限定されるものではなく、進退されるものにも適用可能である。
【００４２】
【発明の効果】
以上のように本発明のテープ印刷装置によれば、開放動作する開閉蓋から力を受けた係合レバーが、復帰ばねとは別に、印刷ヘッドに離間させる方向の力を付与するので、プラテンに印刷ヘッドが強く癒着していても、これを簡単に引き離すことができる。したがって、特に復帰ばねのばね力を強くすることなく、プラテンと印刷ヘッドとの間の癒着を解消することができ、この癒着によるテープカートリッジが装着不能となるなどの不具合を、確実に防止することができる。
【図面の簡単な説明】
【図１】本発明の一実施形態に係るテープ印刷装置のテープカートリッジを取り去った状態の斜視図である。
【図２】印刷ヘッド廻りの斜視図である。
【図３】印刷ヘッドと開閉蓋（閉）との関係を表した斜視図である。
【図４】印刷ヘッドと開閉蓋（開）との関係を表した斜視図である。
【図５】ヘッド操作レバーの拡大斜視図である。
【図６】開閉蓋の部分拡大斜視図である。
【図７】係合レバーと開閉蓋のレバー受け片との係合状態を表した斜視図である。
【図８】第２実施形態に係る印刷ヘッドと開閉蓋（閉）との関係を表した斜視図である。
【図９】第２実施形態に係る印刷ヘッドと開閉蓋（開）との関係を表した斜視図である。
【符号の説明】
１  テープ印刷装置
５  開閉蓋
７  テープカートリッジ
８  カートリッジ装着部
１３  印刷ヘッド
１４  プラテン
２１  ベースフレーム
２２  ヘッド操作レバー
２３  ヘッド押圧ばね
２４  復帰ばね
２５  レバー受け片
２６  係合レバー
４１  印刷ヘッド本体
４３  ヘッド支持軸
４４  回動アーム
５１  レバー本体
５２  係合突起
５３  傾斜面
５５  レバー本体
５６  爪片
６１  蓋本体
６２  開口
６４  ガイド傾斜面
６５  傾斜部位
６６  掛止め部位
６８  フック
【図１】
0003738581.tif 000002
【図２】
0003738581.tif 000003
【図３】
0003738581.tif 000004
【図４】
0003738581.tif 000005
【図５】
0003738581.tif 000006
【図６】
0003738581.tif 000007
【図７】
0003738581.tif 000008
【図８】
0003738581.tif 000009
【図９】
0003738581.tif 000010